(57)【要約】      （修正有）【課題】視認性を向上させることができるタッチパネルを提供する。【解決手段】誘電体層の一方面側に配置される第１導電体層と、前記誘電体層の他方面側に配置される第２導電体層とを備え、第１導電体層に形成される第１抵抗スリット１４と、第２導電体層における第２絶縁スリット２３とが、タッチパネル平面視において互いに重なり合わないように構成される。更には、第２導電体層に形成される第２抵抗スリット２４と、第１導電体層における第１絶縁スリット１３とが、タッチパネル平面視において互いに重なり合わないように構成されている。【選択図】図６
2014134924.tif 000002
【特許請求の範囲】
【請求項１】
誘電体層の一方面側に配置される第１導電体層と、前記誘電体層の他方面側に配置される第２導電体層とを備え、
前記第１導電体層は、間隔をあけて並列に複数配置される第１帯状透明導電体、及び、前記第１帯状透明導電体と同一材料からなり前記各第１帯状透明導電体の間に配置される第１帯状透明調整体を有しており、
前記第２導電体層は、間隔をあけて並列に複数配置される第２帯状透明導電体、及び、前記第２帯状透明導電体と同一材料からなり前記各第２帯状透明導電体の間に配置される第２帯状透明調整体を有しており、
平面視において、前記第１帯状透明導電体及び前記第２帯状透明導電体は、交差するように配設されるタッチパネルであって、
前記各第１帯状透明調整体は、第１絶縁スリットを介在させて前記第１帯状透明導電体と隣接すると共に、前記各第１帯状透明調整体の両側に配置される前記各第１絶縁スリット同士を接続する複数の第１抵抗スリットを備えており、
前記各第２帯状透明調整体は、第２絶縁スリットを介在させて前記第２帯状透明導電体と隣接すると共に、前記各第２帯状透明調整体の両側に配置される前記各第２絶縁スリット同士を接続する複数の第２抵抗スリットを備えており、
前記第１絶縁スリットは、前記第２抵抗スリットの長手方向に平行な第１平行スリット領域を有しており、
前記第２絶縁スリットは、前記第１抵抗スリットの長手方向に平行な第２平行スリット領域を有しており、
前記第１平行スリット領域と前記第２抵抗スリットとの組み合わせ、及び、前記第２平行スリット領域と前記第１抵抗スリットとの組み合わせのいずれもが、平面視においてスリット同士が互いに重複しないように構成されるタッチパネル。
【請求項２】
第１導電体層は、前記第２絶縁スリットの前記第２平行スリット領域に平行なスリットであって、隣り合う前記第１抵抗スリット間を接続して前記各第１帯状透明調整体を分離する第１分離スリットを更に備えており、平面視において、前記第１分離スリットは、前記第２抵抗スリットに重複しないように構成されている請求項１又は２に記載のタッチパネル。
【請求項３】
第２導電体層は、前記第１絶縁スリットの前記第１平行スリット領域に平行なスリットであって、隣り合う前記第２抵抗スリット間を接続して前記各第２帯状透明調整体を分離する第２分離スリットを更に備えており、平面視において、前記第２分離スリットは、前記第１抵抗スリットに重複しないように構成されている請求項１または２に記載のタッチパネル。
【請求項４】
前記第１抵抗スリットの両側にそれぞれ配置される前記各第１分離スリットにおける前記第１抵抗スリットとの各接続端部は、前記第１抵抗スリットの長手方向に沿って所定間隔をあけて配置される請求項２または３に記載のタッチパネル。
【請求項５】
前記第２抵抗スリットの両側にそれぞれ配置される複数の前記第２分離スリットにおける前記第２抵抗スリットとの各接続端部は、前記第２抵抗スリットの長手方向に沿って所定間隔をあけて配置される請求項３又は４に記載のタッチパネル。
【発明の詳細な説明】
【技術分野】
【０００１】
本発明は、タッチパネルに関する。
【背景技術】
【０００２】
入力位置を検出するためのタッチパネルの構成は、従来から種々検討されているが、一例として静電容量式のタッチパネルが知られている。例えば、特許文献１に開示されたタッチパネルは、それぞれ所定のパターン形状を有する透明導電体を備えた一対の透明面状体の間に誘電体層が介在されて構成されており、指などが操作面に触れると、人体を介して接地されることによる静電容量の変化を利用して、タッチ位置を検出することができる。
【先行技術文献】
【特許文献】
【０００３】
【特許文献１】特開２００３−１７３２３８号公報（図１、図５）
【発明の概要】
【発明が解決しようとする課題】
【０００４】
上述したタッチパネルは、液晶表示装置やＣＲＴなどの表面に装着して用いられるが、透明面状体に形成された透明導電体のパターン形状が目立ってしまい、視認性の低下を招いていた。このような問題は、静電容量式のタッチパネルだけでなく、抵抗膜式のタッチパネルでも生じていた。
【０００５】
本発明は、かかる問題を解決すべくなされたものであって、視認性を向上させることができるタッチパネルの提供を目的とする。
【課題を解決するための手段】
【０００６】
本発明の上記目的は、誘電体層の一方面側に配置される第１導電体層と、前記誘電体層の他方面側に配置される第２導電体層とを備え、前記第１導電体層は、間隔をあけて並列に複数配置される第１帯状透明導電体、及び、前記第１帯状透明導電体と同一材料からなり前記各第１帯状透明導電体の間に配置される第１帯状透明調整体を有しており、前記第２導電体層は、間隔をあけて並列に複数配置される第２帯状透明導電体、及び、前記第２帯状透明導電体と同一材料からなり前記各第２帯状透明導電体の間に配置される第２帯状透明調整体を有しており、平面視において、前記第１帯状透明導電体及び前記第２帯状透明導電体は、交差するように配設されるタッチパネルであって、前記各第１帯状透明調整体は、第１絶縁スリットを介在させて前記第１帯状透明導電体と隣接すると共に、前記各第１帯状透明調整体の両側に配置される前記各第１絶縁スリット同士を接続する複数の第１抵抗スリットを備えており、前記各第２帯状透明調整体は、第２絶縁スリットを介在させて前記第２帯状透明導電体と隣接すると共に、前記各第２帯状透明調整体の両側に配置される前記各第２絶縁スリット同士を接続する複数の第２抵抗スリットを備えており、前記第１絶縁スリットは、前記第２抵抗スリットの長手方向に平行な第１平行スリット領域を有しており、前記第２絶縁スリットは、前記第１抵抗スリットの長手方向に平行な第２平行スリット領域を有しており、前記第１平行スリット領域と前記第２抵抗スリットとの組み合わせ、及び、前記第２平行スリット領域と前記第１抵抗スリットとの組み合わせのいずれもが、平面視においてスリット同士が互いに重複しないように構成されるタッチパネルにより達成される。
【０００７】
また、かかるタッチパネルにおいて、第１導電体層は、前記第２絶縁スリットの前記第２平行スリット領域に平行なスリットであって、隣り合う前記第１抵抗スリット間を接続して前記各第１帯状透明調整体を分離する第１分離スリットを更に備えており、平面視において、前記第１分離スリットは、前記第２抵抗スリットに重複しないように構成されていることが好ましい。
【０００８】
また、第２導電体層は、前記第１絶縁スリットの前記第１平行スリット領域に平行なスリットであって、隣り合う前記第２抵抗スリット間を接続して前記各第２帯状透明調整体を分離する第２分離スリットを更に備えており、平面視において、前記第２分離スリットは、前記第１抵抗スリットに重複しないように構成されていることが好ましい。
【０００９】
また、前記第１抵抗スリットの両側にそれぞれ配置される前記各第１分離スリットにおける前記第１抵抗スリットとの各接続端部は、前記第１抵抗スリットの長手方向に沿って所定間隔をあけて配置されることが好ましい。また、前記第２抵抗スリットの両側にそれぞれ配置される複数の前記第２分離スリットにおける前記第２抵抗スリットとの各接続端部は、前記第２抵抗スリットの長手方向に沿って所定間隔をあけて配置されることが好ましい。
【発明の効果】
【００１０】
本発明によれば、視認性を向上させることができるタッチパネルを提供することができる。
【図面の簡単な説明】
【００１１】
【図１】本発明の一実施形態に係る静電容量式のタッチパネルの概略断面図である。
【図２】図１に示すタッチパネルの変形例を示す概略断面図である。
【図３】図１に示す静電容量式のタッチパネルの一部を示す平面図である。
【図４】図１に示す静電容量式のタッチパネルの他の一部を示す平面図である。
【図５】図１に示す静電容量式のタッチパネルの要部拡大平面図である。
【図６】図１に示す静電容量式のタッチパネルの要部拡大平面図である。
【図７】図３に示すタッチパネルの一部の変形例を示す平面図である。
【図８】図３に示すタッチパネルの一部を用いてタッチパネルを構成した場合の当該タッチパネルの要部拡大平面図である。
【図９】図１に示すタッチパネルの一部の変形例を示す平面図である。
【図１０】第１分離スリットの変形例を示す要部拡大平面図である。
【図１１】第１分離スリットの変形例を示す要部拡大平面図である。
【図１２】第１及び第２抵抗スリットの種々の変形例を示す要部拡大平面図である。
【図１３】図１に示すタッチパネルの一部の変形例を示す平面図である。
【発明を実施するための形態】
【００１２】
以下、本発明の実態形態について添付図面を参照して説明する。尚、各図面は、構成の理解を容易にするため、各構成要素を実寸比ではなく部分的に拡大又は縮小されている。
【００１３】
図１は、本発明の一実施形態に係るタッチパネルの概略断面図である。このタッチパネル１０１は、例えば、銀行端末（キャッシュディスペンサー）、券売機、パソコン、ＯＡ機器、電子手帳、ＰＤＡ、携帯電話等の表示装置に取り付けられて使用される静電容量式のタッチパネルであり、誘電体層３の一方面側に配置される第１導電体層１と、誘電体層３の他方面側に配置される第２導電体層２とを備えている。図１に示すタッチパネル構成においては、第１導電体層１は、第１透明基板Ｚ１の一方面側に、所定の間隔をあけて並列に複数配置される第１帯状透明導電体１１、及び、第１帯状透明導電体１１と同一材料からなり各第１帯状透明導電体１１の間に配置される第１帯状透明調整体１２により構成されている。また、第２導電体層２は、第２透明基板Ｚ２の一方面側に、所定の間隔をあけて並列に複数配置される第２帯状透明導電体２１、及び、第２帯状透明導電体２１と同一材料からなり各第２帯状透明導電体２１の間に配置される第２帯状透明調整体２２により構成されている。第１導電体層１と第２導電体層２とは、互いに対向するようにして、かつ、第１帯状透明導電体１１及び第２帯状透明導電体２１の各長手方向が、平面視において交差するように配設して積層されている（本実施形態においては、第１帯状透明導電体１１及び第２帯状透明導電体２１の各長手方向が、平面視において互いに直交するように積層されている）。なお、本実施形態においては、誘電体層３は粘着層により形成されており、第１透明基板Ｚ１上に形成された第１導電体層１、及び、第２透明基板Ｚ２上に形成された第２導電体層２は、当該誘電体層３（粘着層）を介して貼着されている。
【００１４】
また、図１におけるタッチパネル構成においては、第１導電体層１及び第２導電体層２は、互いに対向するように貼着されているが、このような形態に限定されず、例えば、図２（ａ）に示すように、第１透明基板Ｚ１の他方面側（第１帯状透明導電体１１が形成されていない面側）と、第２導電体層２とが互いに対向するようにして、粘着層３１を介して貼着してもよい。このような構成の場合には、粘着層３１及び第１透明基板Ｚ１が誘電体層３を構成することとなる。或いは、図２（ｂ）に示すように、第２透明基板Ｚ２の他方面側（第２帯状透明導電体２１が形成されていない面側）と、第１導電体層１とが互いに対向するようにして、粘着層３１を介して貼着してもよい。このような構成の場合には、粘着層３１及び第２透明基板Ｚ２が誘電体層３を構成することとなる。また、図２（ｃ）に示すように、透明基板Ｚの一方面側に第１導電体層１を形成すると共に、他方面側に第２導電体層２を形成するように構成してもよい。このような構成の場合には、透明基板Ｚが誘電体層３を構成することとなる。
【００１５】
銀行端末や券売機、パソコン等の表示装置へのタッチパネル１０１の取り付けに際しては、例えば、第１透明基板Ｚ１の他方面側（第１帯状透明導電体１１が形成されていない面側）が露出面（タッチ面）となるように、透明な粘着層を介して表示装置に取り付けられる。
【００１６】
第１透明基板Ｚ１及び第２透明基板Ｚ２は、高い誘電率を有し、透明性が高い材料からなることが好ましく、具体的には、ポリエチレンテレフタレート（ＰＥＴ）、ポリイミド（ＰＩ）、ポリエチレンナフタレート（ＰＥＮ）、ポリエーテルサルフォン（ＰＥＳ）、ポリエーテルエーテルケトン（ＰＥＥＫ）、ポリカーボネート（ＰＣ）、ポリプロピレン（ＰＰ）、ポリアミド（ＰＡ）、ポリアクリル（ＰＡＣ）、アクリル、非晶質ポリオリフィン系樹脂、環状ポリオリフィン系樹脂、脂肪族環状ポリオレフィン、ノルボルネン系の熱可塑性透明樹脂などの可撓性フィルムやこれら２種以上の積層体、或いは、ソーダガラス、無アルカリガラス、ホウケイ酸ガラス、石英ガラスなどのガラス板などを挙げることができる。第１透明基板Ｚ１及び第２透明基板Ｚ２の厚みは、２０〜５００μｍ程度が好ましい。また、第１透明基板Ｚ１及び第２透明基板Ｚ２の片面又は両面には、ペンや指が前記表面に接触することがある場合には、透明性、耐擦傷性、耐摩耗性、ノングレア性等向上のため、ハードコート加工を施してもよい。
【００１７】
また、可撓性を有する材料から第１透明基板Ｚ１及び第２透明基板Ｚ２を形成する場合、当該第１透明基板Ｚ１及び第２透明基板Ｚ２に剛性を付与するために支持体を貼着してもよい。支持体としては、ガラス板や、ガラスに準ずる硬度を有する樹脂材料を例示することができ、その厚さは１００μｍ以上であることが好ましく、０．２ｍｍ〜２．０ｍｍであることがより好ましい。
【００１８】
また、第１透明基板Ｚ１及び第２透明基板Ｚ２を形成する場合、予め表面（一方面側；第１導電体層１や第２導電体層２が形成される面側）に透明性や密着性等を向上させる為のアンダーコート層を設けるようにして第１透明基板Ｚ１及び第２透明基板Ｚ２を構成してもよい。アンダーコート層の材料としては、酸化珪素、酸化チタン、酸化錫などの金属酸化物を例示することできる。このような金属酸化物からなる薄膜層を、スパッタリング法、抵抗蒸着法、或いは、電子ビーム蒸着法などにより、第１透明基板Ｚ１及び第２透明基板Ｚ２の表面に形成することによりアンダーコート層を構成することができる。また、アンダーコート層は、光屈折率が異なる２以上の薄膜層を積層することにより構成することもできる。特に、特開2010-208169等に記載されるようなインデックスマッチング機能を有するアンダーコート層とした場合、透明導電膜のある部分（帯状透明導電体１１、２１及び帯状透明調整体１２、２２）と無い部分（各種スリット部分）との光学特性の差が小さくなるため、視認性がより改善される。
【００１９】
本発明に係るタッチパネル１０１は、上述のように第１透明基板Ｚ１の一方面側に間隔をあけて複数配置される第１帯状透明導電体１１、及び、第１帯状透明導電体１１と同一材料からなり、各第１帯状透明導電体１１の間に配置される第１帯状透明調整体１２からなる第１導電体層１を備えている。同様に、第２透明基板Ｚ２の一方面側に間隔をあけて複数配置される第２帯状透明導電体２１、及び、第２帯状透明導電体２１と同一材料からなり、各第２帯状透明導電体２１の間に配置される第２帯状透明調整体２２からなる第２導電体層２を備えている。このように、各第１帯状透明導電体１１（各第２帯状透明導電体２１）の間に、第１帯状透明導電体１１（各第２帯状透明導電体２１）と同一材料からなる第１帯状透明調整体１２（第２帯状透明調整体２２）を配置しているので、第１帯状透明導電体１１及び第２帯状透明導電体２１の形状を目立たなくすることができる。
【００２０】
第１導電体層１における第１帯状透明導電体１１及び第１帯状透明調整体１２は、図３の平面図に示すように、それぞれ矩形状に形成されると共に、第１透明基板Ｚ１を露出させて（第１帯状透明導電体１１及び第１帯状透明調整体１２を構成する導電膜を除去することにより）形成される第１絶縁スリット１３を介在させて両者が非接触で交互に隣接するように配置されている。
【００２１】
また、各第１帯状透明調整体１２は、第１帯状透明導電体１１と第１帯状透明調整体１２との隣接方向に沿って延びると共に、各第１帯状透明調整体１２の両側に配置される第１絶縁スリット１３，１３同士を接続する複数の直線状の第１抵抗スリット１４を備えている。この第１抵抗スリット１４は、当該第１帯状透明調整体１２を複数に分割して高インピーダンス状態とする機能を有しており、第１絶縁スリット１３の長手方向に対して垂直な方向に沿って伸びるように構成されている。かかる第１抵抗スリット１４は、例えば、第１透明基板Ｚ１を露出（第１帯状透明導電体１１及び第１帯状透明調整体１２を構成する導電膜を除去）することにより形成される。なお、第１抵抗スリット１４は、第１絶縁スリット１３の長手方向に対して所定の角度傾斜させるようにして形成してもよい。
【００２２】
また、各第１帯状透明調整体１２は、第１絶縁スリット１３の長手方向に沿って当該第１絶縁スリット１３に平行に伸びる直線状の第１分離スリット１５を備えている。この第１分離スリット１５は、各第１帯状透明調整体１２を分割し、当該第１帯状透明調整体１２を高インピーダンス状態とする機能を有している。かかる第１分離スリット１５は、例えば、第１透明基板Ｚ１を露出（第１帯状透明導電体１１及び第１帯状透明調整体１２を構成する導電膜を除去）することにより形成することができる。また、この第１分離スリット１５は、隣り合う２つの第１抵抗スリット１４，１４間を接続するように形成されている。また、第１抵抗スリット１４の両側にそれぞれ配置される第１分離スリット１５，１５は、単一のライン上に配置されるように構成されている。
【００２３】
第２導電体層２における第２帯状透明導電体２１及び第２帯状透明調整体２２は、第１導電体層１における第１帯状透明導電体１１及び第１帯状透明調整体１２と同様なパターン形状を有している。具体的に説明すると、図４の平面図に示すように、それぞれ矩形状に形成されると共に、第２透明基板Ｚ２を露出させて（第２帯状透明導電体２１及び第２帯状透明調整体２２を構成する導電膜を除去することにより）形成される第２絶縁スリット２３を介在させて両者が非接触で交互に隣接するように配置されている。
【００２４】
また、各第２帯状透明調整体２２は、第２帯状透明導電体２１と第２帯状透明調整体２２との隣接方向に沿って延びると共に、各第２帯状透明調整体２２の両側に配置される第２絶縁スリット２３，２３同士を接続する複数の直線状の第２抵抗スリット２４を備えている。この第２抵抗スリット２４は、当該第２帯状透明調整体２２を複数に分割して高インピーダンス状態とする機能を有しており、第２絶縁スリット２３の長手方向に対して垂直な方向に沿って伸びるように構成されている。かかる第２抵抗スリット２４は、例えば、第２透明基板Ｚ２を露出（第２帯状透明導電体２１及び第２帯状透明調整体２２を構成する導電膜を除去）することにより形成される。なお、第２抵抗スリット２４は、第２絶縁スリット２３の長手方向に対して所定の角度傾斜させるようにして形成してもよい。
【００２５】
また、各第２帯状透明調整体２２は、第２絶縁スリット２３の長手方向に沿って当該第２絶縁スリット２３に平行に伸びる直線状の第２分離スリット２５を備えている。この第２分離スリット２５は、各第２帯状透明調整体２２を分割し、当該第２帯状透明調整体２２を高インピーダンス状態とする機能を有している。かかる第２分離スリット２５は、例えば、第２透明基板Ｚ２を露出（第２帯状透明導電体２１及び第２帯状透明調整体２２を構成する導電膜を除去）することにより形成することができる。また、この第２分離スリット２５は、隣り合う２つの第２抵抗スリット２４，２４間を接続するように形成されている。また、第２抵抗スリット２４の両側にそれぞれ配置される第２分離スリット２５，２５は、単一のライン上に配置されるように構成されている。
【００２６】
また、第１帯状透明導電体１１（第１帯状透明調整体１２）と、第２帯状透明導電体２１（第２帯状透明調整体２２）とは、第１導電体層１及び第２導電体層２を重ね合わせてタッチパネル１０１を構成した際に、平面視において、第１帯状透明導電体１１（第１帯状透明調整体１２）の長手方向と、第２帯状透明導電体２１（第２帯状透明調整体２２）の長手方向とが、互いに直交するように配置されている。なお、第１帯状透明導電体１１及び第２帯状透明導電体２１には、導電性インクなどからなる引き廻し回路（図示せず）がそれぞれ接続しており、当該引き廻し回路を介して外部の駆動回路（図示せず）に接続されて電圧が印加される。
【００２７】
また、第１導電体層１と第２導電体層２とを貼着し両者を重ね合わせた場合に、第１絶縁スリット１３が、第２抵抗スリット２４の長手方向に平行な第１平行スリット領域となるように、第１絶縁スリット１３及び第２抵抗スリット２４が構成されている。また、第２絶縁スリット２３が、第１抵抗スリット１４の長手方向に平行な第２平行スリット領域となるように、第２絶縁スリット２３及び第１抵抗スリット１４が構成されている。更に、図５のタッチパネル１０１に関する要部拡大平面図に示すように、第１絶縁スリット１３（第１平行スリット領域）と第２抵抗スリット２４との組み合わせ、及び、第２絶縁スリット２３（第２平行スリット領域）と第１抵抗スリット１４との組み合わせのいずれもが、タッチパネル１０１の平面視において、重ね合わせ方向に並ぶスリット同士が互いに重複しないように構成されている。
【００２８】
第１帯状透明導電体１１及び第２帯状透明導電体２１、並びに、第１帯状透明調整体１２及び第２帯状透明調整体２２の材料としては、インジウム錫酸化物（ＩＴＯ）、酸化インジウム、アンチモン添加酸化錫、フッ素添加酸化錫、アルミニウム添加酸化亜鉛、ガリウム添加酸化亜鉛、シリコン添加酸化亜鉛や、酸化亜鉛−酸化錫系、酸化インジウム−酸化錫系、酸化亜鉛−酸化インジウム−酸化マグネシウム系、酸化亜鉛、スズ酸化膜等の透明導電材料、或いは、スズ、銅、アルミニウム、ニッケル、クロムなどの金属材料、金属酸化物材料を例示することができ、これら２種以上を複合して形成してもよい。
【００２９】
また、カーボンナノチューブやカーボンナノホーン、カーボンナノワイヤ、カーボンナノファイバー、グラファイトフィブリルなどの極細導電炭素繊維を非導電性ポリマー材料に分散させた複合材を、第１帯状透明導電体１１及び第２帯状透明導電体２１、並びに、第１帯状透明調整体１２及び第２帯状透明調整体２２の材料として用いることもできる。
【００３０】
第１帯状透明導電体１１及び第１帯状透明調整体１２の形成方法について説明すると、まず、上述の材料を用いて、第１透明基板Ｚ１の一方面に所定厚さの導電膜を形成する。この導電膜の形成方法としては、スパッタリング法、真空蒸着法、イオンプレーティング法などのＰＶＤ法や、ＣＶＤ法、塗工法、印刷法などを例示することができる。導電膜の厚みは、５〜１００ｎｍ程度が好ましく、１５〜５０ｎｍ程度がさらに好ましい。
【００３１】
次に、第１透明基板Ｚ１に形成された導電膜の表面にレーザー光を照射しながら、第１透明基板Ｚ１又はレーザー光を移動し、導電膜を剥離することにより、第１帯状透明導電体１１及び第１帯状透明調整体１２に分離する。レーザー光により導電膜が剥離された部分が、第１絶縁スリット１３に相当する。また、第１抵抗スリット１４及び第１分離スリット１５も、同様に、各第１帯状透明調整体１２の表面にレーザー光を照射して導電膜を剥離することにより、形成することができる。レーザー光を照射する装置としては、ＹＡＧレーザー装置や炭素レーザー装置などを例示することができる。また、第１絶縁スリット１３、第１抵抗スリット１４及び第１分離スリット１５の各幅は、例えば、３０μｍ〜７００μｍの範囲とすることが好ましく、１００μｍ〜５００μｍの範囲とすることがより好ましい。
【００３２】
第２帯状透明導電体２１、第２帯状透明調整体２２、第２絶縁スリット２３、第２抵抗スリット２４及び第２分離スリット２５についても、上記と同様な手法により形成することができる。
【００３３】
また、上述したレーザー光を照射することにより、導電膜を剥離して各種スリットを形成する代わりに、第１及び第２帯状透明導電体１１，２１、第１及び第２帯状透明調整体１２，２３、各種スリット１３，１４，１５，２３，２４，２５の各種パターン形状に対応する所定形状の開口部を有するスクリーン印刷版を用いて、スキージによりレジストインクを開口部を介して押し出し、第１透明基板Ｚ１及び第２透明基板Ｚ２上に、所定形状の第１及び第２帯状透明導電体１１，２１、第１及び第２帯状透明調整体１２，２２のパターンを形成した後、エッチング処理により不要部分の導電膜を剥離して、各種スリット１３，１４，１５，２３，２４，２５を形成してもよい。なお、スクリーン印刷法の他、インクジェット方式、グラビア印刷、オフセット印刷、等の各種印刷法やフォトリソグラフィにより形成してもよい。
【００３４】
第１導電体層１と第２導電体層２との貼着は、空気層が介在しないように、誘電体層３を全体に介在させて行うことが好ましい。誘電体層３は、高い誘電率を有する材料から形成することが好ましい。本実施形態においては、誘電体層３を粘着層により構成している。粘着層を形成するものとして、エポキシ系やアクリル系などの一般的な透明接着剤を用いることができ、ノルボルネン系樹脂の透明性フィルムからなる芯材を含むものであってもよい。誘電体層３（粘着層）の厚みは、例えば７００μｍ以下であることが好ましく、特に、１０μｍ〜３００μｍであることが好ましい。更に、２５μｍ〜２００μｍであることがより好ましい。また、シート状粘着材を複数枚重ね合わせることにより誘電体層３（粘着層）を形成してもよく、更に、複数種類のシート状粘着材を重ね合わせて形成してもよい。
【００３５】
以上の構成を備えるタッチパネル１０１において、タッチ位置の検出方法は、従来の静電容量式のタッチパネルと同様であり、第１透明基板Ｚ１の表面側（露出面側）における任意の位置を指などで触れると、第１帯状透明導電体１１及び第２帯状透明導電体２１は接触位置において人体の静電容量を介して接地され、第１帯状透明導電体１１及び第２帯状透明導電体２１を流れる電流値を検出することにより、接触位置の座標が演算される。
【００３６】
本発明に係るタッチパネル１０１は、第１導電体層１及び第２導電体層２が積層される２層式タッチパネル構成となっているが、このような２層式タッチパネル構成の場合、タッチパネル平面視において、第１導電体層１における導電膜（第１帯状透明導電体１１及び第１帯状透明調整体１２）と、第２導電体層２における導電膜（第２帯状透明導電体２１及び第２帯状透明調整体２２）とが重なり合う領域（領域Ａ）、第１導電体層１における導電膜（第１帯状透明導電体１１及び第１帯状透明調整体１２）と、第２導電体層２における各種スリットが形成される部分（導電膜が剥離されている部分）とが重なり合う領域（領域Ｂ）、第１導電体層１における各種スリットが形成される部分（導電膜が剥離されている部分）と、第２導電体層２における導電膜（第２帯状透明導電体２１及び第２帯状透明調整体２２）とが重なり合う領域（領域Ｃ）、第１導電体層１における各種スリットが形成される部分（導電膜が剥離されている部分）と、第２導電体層２における各種スリットが形成される部分（導電膜が剥離されている部分）とが重なり合う領域（領域Ｄ）が存在する。これら領域Ａ、Ｂ、Ｃ、Ｄに関しては、光の反射率がそれぞれ異なり、通常、重なり方向に導電膜が形成されていない領域Ｄが最も光の反射率が低く、重なり方向に導電膜同士が重なっている領域Ａが最も光の反射率が高くなる。なお、領域Ｂ及び領域Ｃの光の反射率は、略同等の値を示すこととなる。このように、領域Ａ、Ｂ、Ｃ、Ｄ間において、光の反射率が異なることに起因して、特に、最も高い光の反射率を有する領域Ａと、最も低い光の反射率を有する領域Ｄとの反射率差に起因して、領域Ａと領域Ｄとの境界が視認されやすいという問題がある。しかしながら、本実施形態に係るタッチパネル１０１においては、第１導電体層１に形成される第１抵抗スリット１４と、当該第１抵抗スリット１４と平行となるように形成される第２導電体層２における第２絶縁スリット２３（第２平行スリット領域）とが、タッチパネル平面視において互いに重なり合わないように構成されている。更には、第２導電体層２に形成される第２抵抗スリット２４と、当該第２抵抗スリット２４と平行となるように形成される第１導電体層１における第１絶縁スリット１３（第１平行スリット領域）とが、タッチパネル平面視において互いに重なり合わないように構成されている。換言すると、第１導電体層１における第１絶縁スリット１３及び第１抵抗スリット１４が、第２導電体層２における第２帯状透明導電体２１及び第２帯状透明調整体２２に重なり合うように構成し、更には、第２導電体層２における第２絶縁スリット２３及び第２抵抗スリット２４が、第１導電体層１における第１帯状透明導電体１１及び第１帯状透明調整体１２に重なり合うように構成している。このような構成により、導電膜を剥離等して形成される各種スリット同士（導電膜が形成されていない部分同士）が重なる領域（図６の要部拡大平面図において斜線にて示す領域）のタッチパネルにおけるタッチ面領域に対する比率を低減することができるため、第１帯状透明導電体１１や第２帯状透明導電体２１、第１帯状透明調整体１２及び第２帯状透明調整体２２が視認され難くなり、タッチパネルの視認性を向上させることが可能となる。ここで、導電膜を剥離等して形成される各種スリット同士が重なる領域（図６の要部拡大平面図において斜線にて示す領域）の、タッチパネルにおけるタッチ面領域に対する比率は、タッチ面領域の全面積に対して１２％以下となるように設定することが好ましく、１０％以下とすることがより好ましい。
【００３７】
以上、本発明の一実施形態について説明したが、本発明の具体的な態様は上記実施形態に限定されない。例えば、上記実施形態においては、第１導電体層１における第１絶縁スリット１３を直線状のスリットとして構成しているが、図７の平面図に示すように、第１導電体層１における各第１帯状透明導電体１１が、六角形状部１１ａ及び矩形状部１１ｂの組み合わせが繰り返されるパターン形状を有するように第１絶縁スリット１３を構成してもよい。このような第１絶縁スリット１３は、第１帯状透明導電体１１との境界を構成する３種類のスリット部分から構成されている。一つ目は、矩形状部１１ｂとの境界を構成する矩形状部境界スリット部１３ａであり、二つ目は、当該矩形状部境界スリット部１３ａと平行で、かつ六角形状部１１ａの一辺との境界を構成する第１六角形状部境界スリット部１３ｂであり、三つ目は、矩形状部境界スリット部１３ａと第１六角形状部境界スリット部１３ｂとを連結し、これらのスリット部に対して所定角度の傾きを有する第２六角形状部境界スリット部１３ｃである。かかる３種類のスリット部を有する第１絶縁スリット１３を所定間隔で形成することにより、第１帯状透明導電体１１と、第１帯状透明調整体１２とが互いに非接触で交互に隣接するように構成されている。また、図７に示す構成においては、第１抵抗スリット１４は、２種類の形状を有するように構成されている、一つ目は、第１絶縁スリット１３における第１六角形状部境界スリット部１３ｂ同士を接続する長尺第１抵抗スリット１４ａであり、二つ目は、第１絶縁スリット１３における矩形状部境界スリット部１３ａ同士を接続する短尺第１抵抗スリット１４ｂである。長尺第１抵抗スリット１４ａは、第１六角形状部境界スリット部１３ｂの長手方向略中央部に接続するように配置されている。短尺第１抵抗スリット１４ｂは、矩形状部境界スリット部１３ａにおける端部に接続するように配置されている。
【００３８】
図７に示すように第１導電体層１における各第１帯状透明導電体１１が、六角形状部１１ａ及び矩形状部１１ｂの組み合わせが繰り返されるパターン形状を有するように第１絶縁スリット１３を構成する場合、第１導電体層１と第２導電体層２とを貼着し両者を重ね合わせた場合に、第１絶縁スリット１３における矩形状部境界スリット部１３ａや第１六角形状部境界スリット部１３ｂが、第２抵抗スリット２４の長手方向に平行な第１平行スリット領域となるように、第１絶縁スリット１３及び第２抵抗スリット２４が構成されている。また、第２絶縁スリット２３が、第１抵抗スリット１４の長手方向に平行な第２平行スリット領域となるように、第２絶縁スリット２３及び第１抵抗スリット１４が構成されている。更に、図８のタッチパネル１０１に関する要部拡大平面図に示すように、第１絶縁スリット１３における矩形状部境界スリット部１３ａや第１六角形状部境界スリット部１３ｂ（第１平行スリット領域）と第２抵抗スリット２４との組み合わせ、及び、第２絶縁スリット２３（第２平行スリット領域）と第１抵抗スリット１４との組み合わせのいずれもが、タッチパネル１０１の平面視において、重ね合わせ方向に並ぶスリット同士が互いに重複しないように構成されている。ここで、図８において斜線にて示す領域は、導電膜を剥離等して形成される各種スリット同士（導電膜が形成されていない部分同士）が重なる領域を示している。
【００３９】
なお、同様に、第２導電体層２における第２絶縁スリット２３についても、各第２帯状透明導電体２１が、六角形状部及び矩形状部の組み合わせが繰り返されるパターン形状を有するように、図７に示すような形状に構成してもよい。
【００４０】
また、図9に示すように、第１帯状透明導電体１１及び第２帯状透明導電体２１のいずれか一方、或いは、双方を、菱形状部１１ｃが矩形状部１１ｂに連結され、これら菱形状部１１ｃ及び矩形状１１ｂ部の組み合わせが直線状に繰り返される構成となるように、第１絶縁スリット１３や第２絶縁スリット２３を構成してもよい。第１帯状透明導電体１１及び第２帯状透明導電体２１の双方を、菱形状部１１ｃが矩形状部１１ｂに連結され、これら菱形状部１１ｃ及び矩形状部１１ｂの組み合わせが直線状に繰り返される構成とする場合、各第１帯状透明導電体１１及び各第２帯状透明導電体２１における菱形状部１１ｃの連結方向が互いに直交し、且つ、平面視において上下の、菱形状部１１ｃが重なり合わないように配置することが好ましい。なお、図９の構成においては分離スリットを削除して記載している。
【００４１】
また、上記実施形態において、第１導電体層１と第２導電体層２とを貼着し両者を重ね合わせた場合に、第１導電体層１における第１分離スリット１５と、第２導電体層２における第２抵抗スリット２４とが、タッチパネル平面視において互いに重複しないように構成してもよい。このような構成を採用することにより、導電膜を剥離等して形成される各種スリット同士（導電膜が形成されていない部分同士）が重なる領域をより一層少なくすることができるため、第１帯状透明導電体１１や第２帯状透明導電体２１、第１帯状透明調整体１２及び第２帯状透明調整体２２の境界をより視認しづらくすることが可能となり、タッチパネルの視認性を向上させることが可能となる。
【００４２】
また、第１導電体層１と第２導電体層２とを貼着し両者を重ね合わせた場合に、第２導電体層２における第２分離スリット２５と、第１導電体層１における第１抵抗スリット１４とが、タッチパネル平面視において互いに重複しないように構成してもよい。このような構成を採用することにより、導電膜を剥離等して形成される各種スリット同士（導電膜が形成されていない部分同士）が重なる領域を更に少なくすることができるため、第１帯状透明導電体１１や第２帯状透明導電体２１、第１帯状透明調整体１２及び第２帯状透明調整体２２の境界をより視認しづらくすることが可能となり、タッチパネルの視認性を向上させることが可能となる。
【００４３】
また、本実施形態においては、図３に示すように、第１導電体層１において、第１抵抗スリット１４の両側にそれぞれ配置される第１分離スリット１５，１５は、単一のライン上に配置されるように構成されているが、このような構成に特に限定されず、例えば、図１０や図１１の要部拡大平面図に示すように、一の第１抵抗スリット１４にそれぞれ接続する各第１分離スリット１５の接続端部が、第１抵抗スリット１４の長手方向に沿って所定間隔をあけてずれるように、各第１分離スリット１５を配置してもよい。なお、図１０は、第１帯状透明導電体１１が矩形状となるように第１導電体層１を構成した場合の要部拡大平面図であり、図１１は、第１帯状透明導電体１１が六角形状部１１ａ及び矩形状部１１ｂの組み合わせが直線状に繰り返されるパターン形状となるように第１導電体層１を構成した場合の要部拡大平面図である。
【００４４】
第１及び第２帯状透明調整体１２，２２を高インピーダンス状態とし、帯状透明調整体１２，２２に絶縁性を付与するという観点からは、第１及び第２抵抗スリット１４，２４、並びに、第１及び第２分離スリット１５，２５の数を多く形成し、第１及び第２帯状透明調整体１２，２２をより細かく分割することが好ましいが、このように、第１及び第２抵抗スリット１４，２４、並びに、第１及び第２分離スリット１５，２５の数を多くした場合、第１導電体層１と第２導電体層２との貼り合わせ位置にずれが生じた場合、第１分離スリット１５と第２抵抗スリット２４とが、平面視において重複してしまい、結果としてタッチパネルの視認性が悪化してしまうことが懸念される。しかしながら、上述のように、第１抵抗スリット１４の両側にそれぞれ配置される第１分離スリット１５が、単一の直線上に配置されないように構成することにより、例えば、第１導電体層１と第２導電体層２とを重ね合わせて貼着する際に、相互の貼り合わせ位置がわずかにずれたとしても、第１分離スリット１５と第２抵抗スリット２４との大部分が重なり合うことを防止することが可能となる。つまり、係る構成を採用した場合、第１導電体層１と第２導電体層２との貼り合わせ位置にずれが生じた場合であっても、第１分離スリット１５と第２抵抗スリット２４とが、平面視において重複する領域を増加しにくくでき、パターン形状を視認しにくい良好な視認性を有するタッチパネルを得ることができる。
【００４５】
また、同様に、第２導電体層２において、一の第２抵抗スリット２４にそれぞれ接続する各第２分離スリット２５の接続端部が、第２抵抗スリット２４の長手方向に沿って所定間隔をあけてずれるように、各第２分離スリット２５を配置してもよい。
【００４６】
また、本実施形態における第１抵抗スリット１４及び第２抵抗スリット２４の形状は、上述した形状に特に限定されるものではなく、図１２の（ａ）（ｂ）の要部拡大図に示すように種々の形状を採用することができる。なお、図１２（ａ）においては、第１帯状透明導電体１１及び第２帯状透明導電体２１を矩形状に構成した場合を示しており、図１２（ｂ）においては、六角形状部が矩形状部に連結され、これら六角形状部及び矩形状部の組み合わせが直線状に繰り返されるパターン形状に構成した場合を示している。
【００４７】
また、第１抵抗スリット１４及び第１分離スリット１５の形状として、例えば、図１３に示すような形状も採用することもできる。図１３においては、第１帯状透明調整体１２において、第１抵抗スリット１４及び第１分離スリット１５によりアイランド状に分割されて形成される各調整体部１２ａのうち、任意のものが、張り出し部１２１を有するように構成されている。なお、図１３に示すように、調整体部１２ａが張り出し部１２１を有するように各種スリット１４，１５を形成する場合、張り出し部１２１を構成する各種スリット１４，１５は密集して形成されることになるため、タッチパネルの視認性を良好なものに維持するという観点から、かかる密集状態で形成される各種スリット１４，１５は、第２導電体層２における第２帯状透明導電体２２や第２帯状透明調整体２２と重なり合うように構成されることが好ましい。なお、第２抵抗スリット２４及び第２分離スリット２５に関しても、図１３に示すような形状となるように構成してもよい。
【００４８】
また、本実施形態においては、第１導電体層１および第２導電体層２を粘着層を介して貼着することにより、静電容量式のタッチパネル１０１を構成しているが、以下のようにして抵抗膜式のタッチパネルを構成することもできる。すなわち、スペーサーを介して所定間隔をあけて第１導電体層１及び第２導電体を対向配置することにより抵抗膜式のタッチパネルを構成することもできる。
【００４９】
この抵抗膜式のタッチパネルにおけるタッチ位置の検出方法は、従来の抵抗膜式のタッチパネルと同様であり、第１透明基板Ｚ１の表面側における任意の位置を指などで押圧することで、第１帯状透明導電体１１及び第２帯状透明導電体２１は接触し、その接点の抵抗値を横方向と縦方向に時分割的測定をすることで接触位置の座標が演算される。
【符号の説明】
【００５０】
１０１  タッチパネル
Ｚ１  第１透明基板
１  第１導電体層
１１  第１帯状透明導電体
１２  第１帯状透明調整体
１３  第１絶縁スリット
１３ａ  矩形状部境界スリット部
１３ｂ  第１六角形状部境界スリット部
１３ｃ  第２六角形状部境界スリット部
１４  第１抵抗スリット
１４ａ  長尺第１抵抗スリット
１４ｂ  短尺第１抵抗スリット
１５  第１分離スリット
Ｚ２  第２透明基板
２  第２導電体層
２１  第２帯状透明導電体
２２  第２帯状透明調整体
２３  第２絶縁スリット
２３  第２抵抗スリット
２５  第２分離スリット
３  誘電体層（粘着層）
【図１】
2014134924.tif 000003
【図２】
2014134924.tif 000004
【図３】
2014134924.tif 000005
【図４】
2014134924.tif 000006
【図５】
2014134924.tif 000007
【図６】
2014134924.tif 000008
【図７】
2014134924.tif 000009
【図８】
2014134924.tif 000010
【図９】
2014134924.tif 000011
【図１０】
2014134924.tif 000012
【図１１】
2014134924.tif 000013
【図１２】
2014134924.tif 000014
【図１３】
2014134924.tif 000015